(57)【特許請求の範囲】
【請求項１】
導体を絶縁カバーで覆ってなる絶縁トロリ相互の導体端部を所定の間隔をおいて対向させ、導体スライド接続手段で接続すると共に、両絶縁トロリの端部側にわたってスライド補強部材を配置し、スライド補強部材に両絶縁トロリの端部側を、その少なくとも一方が絶縁トロリの長手方向に移動できるように把持して、絶縁トロリの熱膨張による伸びを吸収するようにした絶縁トロリの伸縮部において、前記導体スライド接続手段は、略Ｙ型の断面形状を有する導体における一方の導体端部の胴部に、導電性の柱状差込み片と導電性のスライドピン又は導電性のスライドピン挿入穴とを平行して設け、他方の導体端部の二股脚部に、中央に前記柱状差込み片が挿入される割溝を有する導電性の柱状ソケットを設けると共に、胴部に前記スライドピンが挿入される導電性のスライドピン挿入穴又は導電性のスライドピンを設け、前記柱状差込み片を前記柱状ソケットの割溝に、前記スライドピンをスライドピン穴にそれぞれ挿入することにより、絶縁トロリの導体相互をスライド接続するように構成されることを特徴とする絶縁トロリの伸縮部。
【請求項２】
導体を絶縁カバーで覆ってなる絶縁トロリ相互の導体端部を所定の間隔をおいて対向させ、導体スライド接続手段で接続すると共に、両絶縁トロリの端部側にわたってスライド補強部材を配置し、スライド補強部材に両絶縁トロリの端部側を、その少なくとも一方が絶縁トロリの長手方向に移動できるように把持して、絶縁トロリの熱膨張による伸びを吸収するようにした絶縁トロリの伸縮部において、
前記スライド補強部材は、絶縁トロリの長手方向に形成された把持部分の外面形状に適合する内面形状を有する絶縁トロリ把持溝を備え、該絶縁トロリ把持溝に前記絶縁トロリの把持部分を係合して、前記スライド補強部材に絶縁トロリの端部側を把持し、
かつ、
当該スライド補強部材を取付け部材に取付けて固定するための支持部材を装着する開口溝が該補強部材の長手方向に連続して形成されることを特徴とする絶縁トロリの伸縮部。
【発明の詳細な説明】
【０００１】
【発明の属する技術分野】
本発明は搬送台車等の移動体への給電に用いられる絶縁トロリの伸縮部に関するものである。
【０００２】
【従来の技術】
絶縁トロリは、搬送台車等の移動体の移動距離に合わせて配設されるが、許容範囲を越えて熱膨張による伸びが生じた場合には、伸縮部により熱膨張による伸びを吸収する必要がある。
【０００３】
従来の絶縁トロリＡ、Ｂの伸縮部１は、例えば図６乃至８に示すような構造のものが使用される。即ち、例えば断面８の字状の銅、アルミニウム等からなる導体２を絶縁カバー３で覆い、そのカバー両側面に導体２の形状に合わせた凹溝３ａを、またカバー下方に集電子（図示せず）が導体２に接触しながら摺動する開口３ｂをそれぞれ長手方向に有する絶縁トロリＡ、Ｂにおいて、その導体端部２ａを絶縁トロリの熱膨張による伸びを考慮して所定の間隔をおいて対向して配置する。
【０００４】
この導体端部２ａは、図８に示すように、絶縁カバー３から一部露出されており、また一方の導体端部２ａにおける二つの空洞２ｂに他方の導体端部２ａから突設されたスライドピン４が挿入されて導体相互が位置ずれを起こすことなくスライドできるように構成された導体スライド接続手段５で接続する。
【０００５】
また、この絶縁トロリＡ、Ｂの端部側にわたって前記導体端部２ａ及び導体スライド接続手段５を補強するためのスライド金具６を配置する。スライド金具６は、鋼板をコ字状に折り曲げ加工して形成したものである。
【０００６】
このスライド金具６に鋼板を断面コ字状に折り曲げ加工したハンガークランプ７を所定の間隔をおいてボルト・ナット締付け手段８で取付けると共に、ハンガークランプ７の両側端を内側に折り曲げた引掛け部７ａを絶縁トロリＡ、Ｂの端部側の凹溝３ａに係合し、ボルト・ナット締付け手段８でハンガークランプ７を締め付けることにより、このスライド金具６に絶縁トロリＡ、Ｂの端部側をそれぞれ把持する。
【０００７】
この際、スライド金具６の一方側ではボルト・ナット締付け手段８によるハンガークランプ７の締付け力を強くして絶縁トロリＡの端部側が移動しないようにスライド金具６にしっかり把持し、またスライド金具６の他方側ではボルト・ナット締付け手段８によるハンガークランプ７の締付け力を少し弱めて絶縁トロリＢの端部側がその長手方向に移動可能に把持する。
【０００８】
なお、９はスライド金具６を取付け部材１０に吊り下げ支持する例えばボルト・ナットからなる吊り下げ治具、１１は導体スライド接続手段５を構成するスライドピン４が前記空洞２ｂから脱着して導体接続不良となるのを防止するため、隣接する絶縁トロリＡ、Ｂをフィードイン１２により電気的に接続するジャンパー線、１２は露出された導体端部２ａを覆うジョイントカバーであり、従来の絶縁トロリの伸縮部１は上記のように構成される。
【０００９】
【発明が解決しようとする課題】
しかしながら、従来の絶縁トロリの伸縮部は、前記スライド金具及びハンガークランプが鋼板を折り曲げ加工して形成されたものであるため、機械的強度が弱く、絶縁トロリの自由端側の支持が不安定になって、導体スライド接続手段、ハンガークランプ及び導体自重による重みで、スライド金具の中央が下方に垂れ下がり、導体スライド接続手段及びハンガークランプの形状が変化して、絶縁トロリが温度上昇により熱膨張して伸びようとしても、スライド金具に沿って円滑に移動しなくなり、絶縁トロリの熱膨張による伸びを吸収することができないという問題があった。そして最悪な場合には、絶縁トロリが変形して、給電が不能になる恐れがあった。
【００１０】
本発明は上記の問題点を解決し、絶縁トロリの熱膨張による伸びを確実に吸収し得るようにした絶縁トロリの伸縮部を提供するものである。
【００１１】
【課題を解決するための手段】
上記の課題を解決するために、本発明の請求項１記載の発明は、導体を絶縁カバーで覆ってなる絶縁トロリ相互の導体端部を所定の間隔をおいて対向させ、導体スライド接続手段で接続すると共に、両絶縁トロリの端部側にわたってスライド補強部材を配置し、スライド補強部材に両絶縁トロリの端部側を、その少なくとも一方が絶縁トロリの長手方向に移動できるように把持して、絶縁トロリの熱膨張による伸びを吸収するようにした絶縁トロリの伸縮部において、前記導体スライド接続手段は、略Ｙ型の断面形状を有する導体における一方の導体端部の胴部に、導電性の柱状差込み片と導電性のスライドピン又は導電性のスライドピン挿入穴とを平行して設け、他方の導体端部の二股脚部に、中央に前記柱状差込み片が挿入される割溝を有する導電性の柱状ソケットを設けると共に、胴部に前記スライドピンが挿入される導電性のスライドピン挿入穴又は導電性のスライドピンを設け、前記柱状差込み片を前記柱状ソケットの割溝に、前記スライドピンをスライドピン穴にそれぞれ挿入することにより、絶縁トロリの導体相互をスライド接続するように構成されることを特徴とする絶縁トロリの伸縮部を提供するものである。
【００１２】
本発明の請求項２記載の発明は、導体を絶縁カバーで覆ってなる絶縁トロリ相互の導体端部を所定の間隔をおいて対向させ、導体スライド接続手段で接続すると共に、両絶縁トロリの端部側にわたってスライド補強部材を配置し、スライド補強部材に両絶縁トロリの端部側を、その少なくとも一方が絶縁トロリの長手方向に移動できるように把持して、絶縁トロリの熱膨張による伸びを吸収するようにした絶縁トロリの伸縮部において、前記スライド補強部材は、絶縁トロリの長手方向に形成された把持部分の外面形状に適合する内面形状を有する絶縁トロリ把持溝を備え、該絶縁トロリ把持溝に前記絶縁トロリの把持部分を係合して、前記スライド補強部材に絶縁トロリの端部側を把持し、かつ、当該スライド補強部材を取付け部材に取付けて固定するための支持部材を装着する開口溝が該補強部材の長手方向に連続して形成されることを特徴とする絶縁トロリの伸縮部を提供するものである。
【００１３】
【発明の実施の形態】
以下、本発明の実施の形態を図面により詳細に説明する。本発明に係る絶縁トロリの伸縮部２０は図１、２に示す構成になっている。即ち、 導体２２を絶縁カバー２４で覆ってなる絶縁トロリＡ、Ｂの導体端部を絶縁トロリの熱膨張による伸びを考慮して所定の間隔Ｌ（図５（イ）参照）をおいて対向させ、導体スライド接続手段で接続する。
【００１４】
絶縁トロリＡ、Ｂは、図２に示すように例えば略Ｙ型の断面形状を有し、銅、アルミニウム、これらの合金等の導電性材料からなる導体を絶縁カバー２４で覆い、そのカバー両側面に導体２２の形状に合わせた凹溝２４ａを、またカバー下方に集電子（図示せず）が導体２２に接触しながら摺動する開口２４ｂをそれぞれ長手方向に連続して有する。
【００１５】
導体スライド接続手段２６は、図３（イ）（ロ）（ハ）に示すように、一方の絶縁トロリＡの端部側から絶縁カバーを剥いで露出された導体端部２２ａの胴部２２ｂを加工して、即ち、二股脚部２２ｃを所定長さ切り落として柱状差込み片２８を設け、更に導電性の好ましくは導体２２と同材質のスライドピン３０を、柱状差込み片２８の外側方に且つ該差込み片と平行となるよう位置させて、該差込み片２８の先端に螺合等により取付け、次に図４（イ）（ロ）（ハ）に示すように、他方の絶縁トロリＢの端部側から絶縁カバーを剥いで露出された導体端部２２ａの二股脚部２２ｃを加工して、即ち、胴部２２ｂを所定長さ切り落として前記柱状差込み片２８が挿入される割溝３２ａを有する柱状ソケット３２を設けると共に、胴部２２ｂの側端側に柱状ソケット３２と平行になるようにして、前記スライドピン３０が挿入されるスライドピン挿入穴３４を穴あけ加工により設け、図５（イ）（ロ）（ハ）に示すように絶縁トロリＡ側の柱状差込み片２８を絶縁トロリＢ側の柱状ソケット３２の割溝３２ａに、また絶縁トロリＡ側のスライドピン３０を絶縁トロリＢのスライドピン挿入穴３４にそれぞれ挿入することにより、絶縁トロリＡ、Ｂの導体相互をスライド接続するように構成される。
【００１６】
導体スライド接続手段２６が上記のような構成になっているので、絶縁トロリＡ、Ｂが熱膨張収縮して伸縮を繰り返しても、絶縁トロリの導体部分の横振れをより一層防止するほか、導体の支持がより堅牢となって、絶縁トロリの熱膨張による伸びをより確実に吸収することができる。
【００１７】
なお、本発明の実施の形態では、スライドピン３０を絶縁トロリＡ側に、前記スライドピン挿入穴３４を絶縁トロリＢ側に設けたが、反対に、スライドピン３０を絶縁トロリＢ側に、前記スライドピン挿入穴３４を絶縁トロリＡ側に設けてもよい。
【００１８】
また、図３、４、５に示すように、絶縁トロリＡ側の柱状差込み片２８の片側側面には長手方向に絶縁トロリの伸縮量に応じた長さを有する横溝２８ａを設けると共に、絶縁トロリＢ側の柱状ソケット３２の割溝３２ａには、前記横溝２８ａに対向する内側面の一個所に縦溝３２ｂを設け、該縦溝３２ｂと前記横溝２８ａの奥側の縦口２８ｂとで形成される挿入口からストッパ用の小球３６を挿入して、これを前記縦溝３２ｂと前記横溝２８ａ間の隙間に収納して、該小球３６が前記横溝２８ａ内を長手方向に移動できるように構成し、絶縁トロリＡ、Ｂの導体が温度変化による熱膨張収縮で導体スライド接続手段２６から脱着するのを抑制するストッパ部３８を備えている。
【００１９】
次に図１、２に示すように、前記絶縁トロリＡ、Ｂの端部側にわたって前記導体端部２２ａ及び導体スライド接続手段２６を補強するためのスライド補強部材４０を配置する。前記スライド補強部材４０は絶縁トロリＡ、Ｂの長手方向に連続して形成された把持部分である凹溝２４ａの外面形状に適合する内面形状を長手方向に連続して、又は間隔をおいて有する絶縁トロリ把持溝４０ａを中心部に有する注成形型材からなり、これに絶縁トロリＡ、Ｂの端部側を取付けて把持し易くするために二つ割り構造になっている。
【００２０】
前記注成形型材は、例えばアルミニウム（その合金を含む）鋳造型材、プレス押出加工による成形型材、ポリエチレン、ポリ塩化ビニール、エポキシ樹脂等の樹脂材（これにガラス、ポリエステル繊維等を入れて強化した樹脂材を含む）の射出、押出、注型（モールド）等による種々の型材が用いられる。
【００２１】
注成形型材は従来の鋼板を折り曲げ加工して形成したスライド金具よりも剛性が高いため、伸縮部使用中に下方に垂れ下がりにくい。ここで要求される剛性は鋼鉄のブロック材のように非常に高い剛性を備える必要はなく、導体スライド接続手段及び伸縮部付近の絶縁トロリの自重によっては容易に下方に垂れ下がらない程度の剛性を有していればよく、前記スライド補強部材４０を構成する注成形型材はこの要求を満足する。
【００２２】
特にアルミニウム製の注成形型材は、軽量で所望の剛性が得られるほか、鋳造、押出加工温度が銅、鉄材よりも低く製造が容易である。また樹脂製の注成形型材も同様な効果が得られるほか、電気絶縁材料なので、本伸縮部に使用した場合、沿面距離を長く取ることができ電気的に安全で信頼性を高めることができ好ましい。
【００２３】
次に、図１、２に示すように、スライド補強部材４０を二分割して該絶縁トロリ把持溝４０ａを前記前記絶縁トロリＡ、Ｂの端部側の両側に形成された凹溝２４ａに係合し、スライド補強部材４０の分割片を合わせて、これにボルト・ナット締付け手段４２を通して締め付けることにより、該スライド補強部材４０に絶縁トロリＡ、Ｂの端部側をそれぞれ把持する。
【００２４】
この際、スライド補強部材４０の一方側ではボルト・ナット締付け手段４２による締付け力を強くして絶縁トロリＡの端部側が移動しないようにスライド補強部材４０にしっかり把持し、またスライド補強部材４０の他方側ではボルト・ナット締付け手段４２による締付け力を少し弱めて絶縁トロリＢの端部側がその長手方向に移動できるように把持し、絶縁トロリが温度上昇で熱膨張した場合にはその伸びを吸収できるようになっている。
【００２５】
上記のようにスライド補強部材４０を注成形型材で形成すると剛性が大きくなり、スライド補強部材３０が導体スライド接続手段、絶縁トロリの自重等による荷重で曲げ変形して下方に垂れ下がることがなく、従って、導体スライド接続手段１６及びスライド補強部材の絶縁トロリ把持溝４０ａも曲げ変形することがなく、絶縁トロリの熱膨張収縮による伸縮移動が円滑になり、絶縁トロリの熱膨張による伸びをより確実に吸収することができる。また、絶縁トロリの前記把持部分（凹溝２４ａ）に適合するように絶縁トロリ把持溝４０ａの形成も容易である。
【００２６】
なお、スライド補強部材４０の絶縁トロリ把持溝４０ａを絶縁トロリの長手方向に連続して形成すると、該補強部材の絶縁トロリ把持溝４０ａにほぼ等分布に荷重をかけて絶縁トロリの端部側を把持することになり、絶縁トロリの両端部側をスライド補強部材４０でほぼ一体構造となるように強固に補強することになり、絶縁トロリの熱膨張収縮による伸縮動作が円滑になり、伸縮部の信頼性をより向上することができる。
【００２７】
なお、スライド補強部材３０は分割型ではなく一体構造で形成してもよく、その場合には、スライド補強部材４０の絶縁トロリ把持溝４０ａに絶縁トロリＡ、Ｂの端部側を挿入して該トロリを把持する。また、上記発明の実施の形態では、スライド補強部材４０の一方側で絶縁トロリＡの端部側を固定把持し、他方側で絶縁トロリＢの端部側をこれがその長手方向に移動できるように把持したが、両絶縁トロリＡ、Ｂの端部側が移動できるようにスライド補強部材４０に把持してもよい。この場合には、両絶縁トロリＡ、Ｂの伸縮部２０とは反対側の絶縁トロリの端部側を適当な固定部材（図示せず）で固定把持することが好ましい。
【００２８】
スライド補強部材４０の頭部には、図２に示すように、スライド補強部材４０を取付け部材４４に取付けて固定するための支持部材である例えばボルト・ナットからなる吊り下げ治具４６を装着する開口溝４０ｂが該補強部材の長手方向に連続して形成される。該開口溝４０ｂの形成もスライド補強部材４０が注成形型材で形成されると容易である。
【００２９】
このような構成によると、支持部材を前記開口溝にそって任意の位置に自由に移動させて取付け部材４４の最適位置にスライド補強部材４０を取付けることが可能となり、伸縮部２０の取付け作業性が向上すると共に、導体スライド接続手段２６の上部位置を支持することができるので、スライド補強部材４０の下方への垂れ下がりをより確実に防止できる。
【００３０】
４８は本発明に係る伸縮部２０を使用中に、導体スライド接続手段２６を構成する柱状差込み片２８及びスライドピン３０が柱状ソケット３２及びスライドピン挿入穴３４から脱着して導体接続不良となるのを防止するため、隣接する絶縁トロリＡ、Ｂをフィードイン５０により電気的に接続するジャンパー線である。
【００３１】
なお、ジャンパー線４８は図２に示すようにスライド補強部材４０の中段に設けられたフランジ４０ｃに締付バンド４１で固定しておくと、伸縮部２０の取付け又は使用中に邪魔にならず好ましい。
【００３２】
【発明の効果】
以上説明したように、本発明の請求項１記載の絶縁トロリの伸縮部によると、絶縁トロリの熱膨張収縮による伸縮移動が円滑になり、絶縁トロリの熱膨張による伸びを確実に吸収することができる。また、絶縁トロリが熱膨張収縮して伸縮を繰り返しても、絶縁トロリの導体部分の横振れをより一層防止するほか、導体の支持がより堅牢となって、絶縁トロリの熱膨張による伸びをより確実に吸収することができる。
【００３３】
さらに、本発明の請求項２記載の絶縁トロリの伸縮部によると、支持部材を前記開口溝にそって任意の位置に自由に移動させて取付け部材の最適位置にスライド補強部材を取付けることが可能となり、伸縮部の取付け作業性が向上すると共に、導体スライド接続手段の上部位置を支持することができるので、スライド補強部材の下方への垂れ下がりをより確実に防止できる。
【図面の簡単な説明】
【図１】  本発明に係る絶縁トロリの伸縮部の正面図である。
【図２】  図１において、Ｘ−Ｘ線で切断した拡大側断面図である。
【図３】  図３（イ）は本発明の伸縮部において、一方の絶縁トロリの導体端部を示す正面図、図３（ロ）は同平面図、図３（ハ）は同右側面図である。
【図４】  図４（イ）は本発明の伸縮部において、他方の絶縁トロリの導体端部を示す正面図、図３（ロ）は同平面図、図３（ハ）は同左側面図である。
【図５】  図５（イ）は本発明の伸縮部において、導体スライド接続手段の使用時の状態を示す正面図、図５（ロ）は導体スライド接続手段の導体端部が接触した状態を示す正面図、図５（ハ）は図５（ロ）のＹ−Ｙ線断面図である。
【図６】  従来の絶縁トロリの伸縮部を示す斜視図である。
【図７】  従来の絶縁トロリの伸縮部を吊り下げ支持する状態を示す側面図である。
【図８】  従来の絶縁トロリの伸縮部において、導体スライド接続手段を示す斜視図である。
【符号の説明】
Ａ      絶縁トロリ
Ｂ      絶縁トロリ
２０    伸縮部
２２    導体
２２ａ  導体端部
２２ｂ  胴部
２２ｃ  二股脚部
２４    絶縁カバー
２４ａ  凹溝
２６    導体スライド接続手段
２８    柱状差込み片
２８ａ  横溝
２８ｂ  開口部
３０    スライドピン
３２    柱状ソケット
３２ａ  割溝
３２ｂ  縦溝
３４    スライドピン挿入穴
３６    小ボール
３８    ストッパ部
４０    スライド補強部材
４０ａ  絶縁トロリ把持溝
４０ｂ  開口溝
４０ｃ  フランジ
４１    締付バンド
４２    ボルト・ナット締付け手段
４４    取付け部材
４６    吊り下げ治具
４８    ジャンパー線
５０    フィードイン
【図１】
0003734987.tif 000002
【図２】
0003734987.tif 000003
【図３】
0003734987.tif 000004
【図４】
0003734987.tif 000005
【図５】
0003734987.tif 000006
【図６】
0003734987.tif 000007
【図７】
0003734987.tif 000008
【図８】
0003734987.tif 000009